(57)【要約】【課題】画像のオリジナル性を損なわない範囲で、簡便に画像データの修正が可能なカメラを提供する。【解決手段】被写体の画像データを含む画像ファイルに改ざん防止処理を施して記録媒体に記録可能なカメラにおいて、記録媒体から画像データを読み出す読み出し手段と、読み出し手段により読み出された画像データを撮影記録したカメラを識別する識別手段と、を有し、識別手段が、読み出し手段により読み出された画像データが、同カメラで撮影記録された画像データであると識別した場合には、画像データに対し特定の画像補正を許容し、補正後の画像データを含む画像ファイルに再度改ざん防止処理を施して記録媒体に記録するカメラとする。【選択図】図６
2007166495.tif 000002
【特許請求の範囲】
【請求項１】
被写体の画像データを含む画像ファイルに改ざん防止処理を施して記録媒体に記録可能なカメラにおいて、
前記記録媒体から画像データを読み出す読み出し手段と、前記読み出し手段により読み出された前記画像データを撮影記録したカメラを識別する識別手段と、を有し、
前記識別手段が、前記読み出し手段により読み出された画像データが、同カメラで撮影記録された画像データであると識別した場合には、前記画像データに対し特定の画像補正を許容し、補正後の画像データを含む画像ファイルに再度改ざん防止処理を施して記録媒体に記録することを特徴とするカメラ。
【請求項２】
前記補正後の画像データに対し新たな改ざん防止処理を施して記録媒体に記録する際には、元の画像データを消去又は上書きすることを特徴とする請求項１に記載のカメラ。
【請求項３】
前記識別手段が、前記読み出し手段により読み出された画像データを、同カメラで撮影記録された画像データでないと識別した場合には、前記画像データに対し特定の画像補正を許容し、補正後の画像データに対し新たな改ざん防止処理を施すか否かを選択する選択手段を有することを特徴とする請求項１又は２に記載のカメラ。
【請求項４】
前記補正後の画像データに対し新たな改ざん防止処理を施して記録媒体に記録する際には、元の画像データを保存、消去、上書き、のいずれかを選択可能としたことを特徴とする請求項３に記載のカメラ。
【請求項５】
前記特定の画像補正は、画像の明るさと色あいに関してのみ可能であることを特徴とする請求項１〜４のいずれか１項に記載のカメラ。
【発明の詳細な説明】
【技術分野】
【０００１】
本発明はカメラに関し、特に撮影した画像データに改ざん防止処理を施して記録媒体に記録するカメラに関するものである。
【背景技術】
【０００２】
従来よりカメラで撮影された画像データに対し、著作権を有するものにおける違法なコピーや、画像の信憑性を証明したオリジナルデータであることを保証するための、種々の改ざん防止技術が知られている。
【０００３】
このような改ざん防止に関し、撮像した画像データに電子透かし情報として著作権情報を埋め込み、撮像素子の不良画素位置情報を暗号キーにしたカメラとして、特定のＰＣ（パーソナルコンピュータ）と接続されていない限り電子透かし情報の閲覧ができないようにして、電子透かし情報の読み出し、改ざん等の余地を無くし、暗号化作業を簡略化したカメラが知られている（例えば、特許文献１参照）。
【特許文献１】特開２００３−３３３３１５号公報
【発明の開示】
【発明が解決しようとする課題】
【０００４】
上記特許文献１を含む、従来の改ざん防止に関するものは、基本的にオリジナル画像データに対し改ざんをできないようにするものか、オリジナル画像データに改ざんが行われた場合に、オリジナルでないということが識別できることを目的としたものであった。
【０００５】
一方、例えば、土木工事や建築物の工事過程を逐一記録した、証明写真として使用するような用途の場合、被写体画像の形状、外観、構図など、被写体の大きな特徴ではなく、画像の明るさや色あいなどを若干変更して、写された被写体の状態をよりわかりやすく表示できるように、記録された画像データを修正したいという場合がある。例えば、被写体が暗くて遠く、内蔵フラッシュ等を用いても、暗い画像となってしまった場合や、ホワイトバランスが適切でなく、現実の色あいと異なった色あいの画像に再現された場合等である。
【０００６】
このような場合、従来の方法では修正ができないか、修正できる場合にはオリジナルデータでなくなり、新たに撮影し直す必要があり、利便性に欠けるものであった。
【０００７】
本発明は上記問題に鑑み、画像のオリジナル性を損なわない範囲で、簡便に画像データの修正が可能なカメラを提供することを目的とするものである。
【課題を解決するための手段】
【０００８】
上記の目的は、下記に記載する発明により達成される。
【０００９】
１．被写体の画像データを含む画像ファイルに改ざん防止処理を施して記録媒体に記録可能なカメラにおいて、前記記録媒体から画像データを読み出す読み出し手段と、前記読み出し手段により読み出された前記画像データを撮影記録したカメラを識別する識別手段と、を有し、前記識別手段が、前記読み出し手段により読み出された画像データが、同カメラで撮影記録された画像データであると識別した場合には、前記画像データに対し特定の画像補正を許容し、補正後の画像データを含む画像ファイルに再度改ざん防止処理を施して記録媒体に記録することを特徴とするカメラ。
【００１０】
２．前記補正後の画像データに対し新たな改ざん防止処理を施して記録媒体に記録する際には、元の画像データを消去又は上書きすることを特徴とする１に記載のカメラ。
【００１１】
３．前記識別手段が、前記読み出し手段により読み出された画像データを、同カメラで撮影記録された画像データでないと識別した場合には、前記画像データに対し特定の画像補正を許容し、補正後の画像データに対し新たな改ざん防止処理を施すか否かを選択する選択手段を有することを特徴とする１又は２に記載のカメラ。
【００１２】
４．前記補正後の画像データに対し新たな改ざん防止処理を施して記録媒体に記録する際には、元の画像データを保存、消去、上書き、のいずれかを選択可能としたことを特徴とする３に記載のカメラ。
【００１３】
５．前記特定の画像補正は、画像の明るさと色あいに関してのみ可能であることを特徴とする１〜４のいずれかに記載のカメラ。
【発明の効果】
【００１４】
本発明によれば、画像のオリジナル性を損なわない範囲で、簡便に画像データの修正が可能なカメラを提供することが可能となる。
【発明を実施するための最良の形態】
【００１５】
以下、実施の形態により本発明を詳しく説明するが、本発明はこれに限定されるものではない。
【００１６】
図１は、本実施の形態に係るカメラ１００の外観図である。同図（ａ）はカメラの前面図であり、同図（ｂ）はカメラの後面図である。
【００１７】
同図に示すように、カメラ１００の上側面にはメインスイッチ釦５１とレリーズ釦５２が配置されている。レリーズ釦５２は、その１段の押し込み（以下、スイッチＳ１のＯＮと称す）によりカメラの撮影準備動作が行われ、その２段の押し込み（以下、スイッチＳ２のＯＮと称す）により撮影動作が行われる。
【００１８】
同図（ａ）に示す、６１は前面カバーである。１ｋは屈曲光学系で構成された撮像光学系ユニット（不図示）の被写体光入射開口部である。この被写体光入射開口部１ｋには、バリア部材５３が配置されており、メインスイッチ釦５１の操作に応じて、不図示のアクチュエータによりバリア部材５３は、被写体光入射開口部１ｋの前面を覆う位置と、被写体光入射開口部１ｋを露呈する位置とに移動させられる。被写体光入射開口部１ｋの左側には、フラッシュ反射光受光のためのセンサー窓６３、フラッシュ発光部５４が配置されている。
【００１９】
同図（ｂ）に示す、６２は後面カバーである。５５はズーム釦でありズームアップ、ズームダウンをおこなう釦である。５６はメニュー釦、５７は選択釦で４方向スイッチであり、５８はセット釦である。９０は表示装置であり画像やその他文字情報等を表示する。メニュー釦５６で、表示装置９０上に各種のメニューを表示させ、選択釦５７で選択し、セット釦５８で確定させる機能を有している。５９はメインダイヤルであり、回転させることで、静止画撮影モード、動画撮影モード、再生モード、セットアップモード、プリントモード等が選択できるようになっている。６０は消去釦で、撮影記録した画像の消去をおこなう釦である。
【００２０】
なお、不図示であるが三脚座、ＡＣアダプタの接続端子、外部機器との接続のための接続端子等がカメラ１００の底面に配置され、本カメラの電源を供給する電池の挿脱のための電池蓋、撮影した画像を記録するカード型のリムーバブルメモリカードを挿脱するためのカード蓋等がカメラ１００の側面に配置されている。
【００２１】
図２は、本実施の形態に係るカメラ１００の内部構成の一例を示す概略ブロック図である。なお、本発明は、撮像素子としてＣＣＤ（Ｃｈａｒｇｅ  Ｃｏｕｐｌｅｄ  Ｄｅｖｉｃｅ）型イメージセンサ、ＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）型イメージセンサ等が適用可能であるが、本例においては、撮像素子としてＣＣＤ型イメージセンサを用いたもので説明する。
【００２２】
同図において、４０は各部を制御する制御部（以下、ＣＰＵとも称す）である。撮像レンズ８１は、レンズ部１、絞りシャッターユニット２、赤外光カットフィルタとオプチカルローパスフィルタを積層した光学フィルタ３、第１モータ４、第２モータ５及び絞りシャッタアクチュエータ６で構成されている。
【００２３】
レンズ部１は、より詳しくは複数のレンズを有する撮像光学系であり、複数のレンズの光軸上の位置を第１モータ４を駆動することにより移動させ、変倍がおこなわれるようになっている。また、これら複数のレンズの内、フォーカシングに用いられるレンズは、第２モータ５により駆動され焦点調節がおこなわれる。更に、絞りシャッターユニットは絞りシャッタアクチュエータ６により開閉し、露光量の調定がなされる。この、第１モータ４、第２モータ５、絞りシャッタアクチュエータ６は、それぞれＣＰＵ４０からの制御信号により制御される第１モータ駆動回路７、第２モータ駆動回路８、絞りシャッタ駆動回路９を介して駆動される。
【００２４】
タイミングジェネレータ１０は、タイミング制御回路１１から送られるクロックに基づきＣＣＤ１２の駆動制御信号を生成するものであり、例えばＣＣＤ１２の電荷の蓄積開始と終了のタイミング信号、各画素の電荷蓄積量の読み出し制御信号（水平同期信号、垂直同期信号、転送信号）等のクロック信号を生成しＣＣＤ１２へ出力する。撮像回路１３は、ＣＣＤ１２により被写体光が光電変換され、例えば原色系のフィルタが用いられたＣＣＤの場合、Ｒ（赤）、Ｇ（緑）、Ｂ（青）の各色成分の画像アナログ信号を信号処理部１４へ出力する。
【００２５】
信号処理部１４は、撮像回路１３から出力された画像アナログ信号に信号処理を施すものである。信号処理部１４においては、相関二重サンプリング（ＣＤＳ）、オートゲインコントロール（ＡＧＣ）により画像アナログ信号のノイズ低減とゲイン調整をおこないＡ／Ｄ変換部１５へ出力する。
【００２６】
Ａ／Ｄ変換部１５では、タイミング制御回路１１からのＡ／Ｄ変換用クロックに基づき、入力された画像アナログ信号をＡ／Ｄ変換し、デジタル信号（以下、画素データと称す）に変換する。次いで、画素データをバッファメモリ１６に格納した後、ＣＰＵ４０に画素データを送り、ＣＰＵ４０では画素データの黒レベル補正をおこなった後、ホワイトバランス（ＷＢ）の調整、γ補正、ＹｃｂＣｒ変換が行われる。
【００２７】
ＶＲＡＭ１７は、画像表示装置９０で表示する画像のバッファメモリであり、少なくとも画像表示装置９０の画素数と表示に必要なビット数の積算値以上の記憶容量を有している。画像表示装置９０には、例えばＬＣＤ、有機ＥＬ等の表示装置が用いられる。なお、使用される画像表示装置に応じ、ＶＲＡＭ１７と画像表示装置９０の間に、画素データをＤ／Ａ変換するＤ／Ａ変換部が設けられる。
【００２８】
これにより、撮影時のフレーミング時には、所定時間間隔で撮像された画素データがバッファメモリ１６に記憶されると共に、ＶＲＡＭ１７へ転送され、画像表示装置９０に表示がおこなわれ、被写体像を確認することができ、ファインダとして使用できる（スルー画像表示又はプレビュー画像表示と称す）ようになっている。
【００２９】
また、挿脱可能な画像記録媒体であるメモリカード５０に記録された撮影済みの画像データは、圧縮伸張回路４９へ転送され、ＣＰＵ４０で所定の信号処理後にＶＲＡＭ１７へ転送され、表示装置９０に表示がおこなわれ、撮影済み画像の再生が可能となっている。
【００３０】
インターフェイス３２は、外部のパーソナルコンピュータ或いはプリンタ等と信号の授受をおこなうもので、外部入出力端子（例えばＵＳＢ端子）８８を介して、外部のパーソナルコンピュータ或いはプリンタ等と通信を行うものである。
【００３１】
フラッシュ制御回路２１は、フラッシュ発光部５４の発光を制御する回路である。フラッシュ制御回路２１は、ＣＰＵ４０により制御され、フラッシュ発光の有無、発光タイミング、発光用コンデンサへの充電等を制御すると共に、フラッシュ反射光受光用センサ２３に接続された受光回路２４から入力される発光停止信号に基づき発光を停止させるようになっている。
【００３２】
時計回路２５は、撮影された日時を管理するものであり、各部へ電源を供給する給電回路２７から電源供給を受けて作動するようにしてもよいが、図示しない別電源で作動させることが望ましい。
【００３３】
ＣＰＵ４０及び各部への電力供給は給電回路２７によっておこなわれる。この給電回路２７には、電池２６或いは、ＤＣ入力端子２８を介しＡ／Ｃアダプタ２９から電力が供給される。
【００３４】
操作スイッチ群（以下操作ＳＷ群とも称す）３０は、例えばメインスイッチ、レリーズ釦、ズーム釦、メニュー釦、セット釦、選択釦等の各種操作釦によりＯＮ／ＯＦＦするスイッチ群及びメインダイヤルを含むスイッチ群である。この操作ＳＷ群３０のＯＮ／ＯＦＦの信号は、ＣＰＵ４０に送られ、ＣＰＵ４０はＯＮされた操作ＳＷに応じて各部の動作を制御することになる。
【００３５】
ＥＥＰＲＯＭ３１は、不揮発性のメモリであり、カメラの個々に異なる特性値を記憶させておくために用いられる。この個々に異なる特性値とは、例えば撮像レンズ８１の各焦点距離におけるフォーカシングレンズの無限位置の情報等であり、製造工程内で書き込まれるものである。この、カメラ個々に異なる特性値を、ＣＰＵ４０は必要に応じＥＥＰＲＯＭ３１から読み出し、各部の制御に利用するようになっている。
【００３６】
なお、ＣＰＵ４０は、ＲＯＭ２０に格納されたソフトウェアに基づき、データの授受、各部のタイミング制御をおこなうのみならず、その他種々の機能をおこなうものとなっている。例えば、撮影記録時の絞り値とシャッタ速度の露光条件の決定（ＡＥ準備動作）、フォーカシングレンズを小刻みに移動させ、それぞれで得られた画素データから画像データを生成し、この画像データに基づいて評価をおこない最適なフォーカシングレンズ位置を決定する焦点調節（ＡＦ動作）制御等を行うものである。また、以降に述べる本発明の補正モードでの動作及び改ざん防止処理もＣＰＵ４０で処理される。
【００３７】
以上が、本実施の形態に係るカメラ１００の内部ブロック構成である。
【００３８】
図３は、本実施の形態に係るカメラ１００で使用される各モードへの移行動作を示すフローチャートである。以下、同図に示すフローに従い説明する。
【００３９】
同図に示すように、まずメインスイッチがＯＮされる（ステップＳ１０１）と、メインダイヤルがどこにセットされているかを確認する。
【００４０】
まず、メインダイヤルが静止画撮影モードにセットされているかどうか判断する（ステップＳ１０２）。静止画撮影モードにセットされている場合（ステップＳ１０２；Ｙｅｓ）は、静止画撮影モード処理へ移行する（ステップＳ１１２）。
【００４１】
静止画撮影モードにセットされていない場合（ステップＳ１０２；Ｎｏ）は、動画撮影モードにセットされているかどうか判断する（ステップＳ１０３）。動画撮影モードにセットされている場合（ステップＳ１０３；Ｙｅｓ）は、動画撮影モード処理へ移行する（ステップＳ１１３）。
【００４２】
動画撮影モードにセットされていない場合（ステップＳ１０３；Ｎｏ）は、再生モードにセットされているかどうか判断する（ステップＳ１０４）。再生モードにセットされている場合（ステップＳ１０４；Ｙｅｓ）は、再生モード処理へ移行する（ステップＳ１１４）。
【００４３】
再生モードにセットされていない場合（ステップＳ１０４；Ｎｏ）は、プリントモードにセットされているかどうか判断する（ステップＳ１０５）。プリントモードにセットされている場合（ステップＳ１０５；Ｙｅｓ）は、プリントモード処理に移行する（ステップＳ１１５）。
【００４４】
プリントモードにセットされていない場合（ステップＳ１０５；Ｎｏ）は、セットアップモードに移行する（ステップＳ１０６）。
【００４５】
なお、本例では、メインダイヤルで静止画撮影モード、動画撮影モード、再生モード、プリントモード、セットアップモードの４種を設定する例で説明したが、より多種のモードを設定するようなカメラであってもよいし、判断順序もこれに限るものでない。また、メインダイヤルでの設定でなく選択メニューを画像表示装置に表示させ、これから選択するようなカメラであってもよい。
【００４６】
次に、静止画撮影モード処理について、説明する。
【００４７】
図４は、本実施の形態に係るカメラ１００の静止画撮影モード時の動作概略を示すフローチャートである。以下、同図に示すフローに従い説明する。
【００４８】
静止画撮影モードに入ると、撮像素子、撮像回路、信号処理部、Ａ／Ｄ変換部等の撮像部の駆動を開始し（ステップＳ２０１）、画像表示装置でプレビュー表示を行う（ステップＳ２０２）。
【００４９】
次いで、再度メインスイッチのＯＮを判断する（ステップＳ２０３）。メインスイッチがＯＦＦされた場合（ステップＳ２０３；Ｎｏ）には、プレビュー表示を停止させ（ステップＳ２２０）、撮像部の駆動を停止（ステップＳ２２１）させて終了する。
【００５０】
メインスイッチがＯＮの場合（ステップＳ２０３；Ｙｅｓ）には、再度、静止画撮影モードであるか判断する（ステップＳ２０４）。静止画撮影モード以外のモードに切り替えられた場合（ステップＳ２０４；Ｎｏ）には、他の切り替えられたモードへ移行する（ステップＳ２３０）。
【００５１】
静止画撮影モードである場合（ステップＳ２０４；Ｙｅｓ）は、スイッチＳ１がＯＮされているか判断する（ステップＳ２０５）。スイッチＳ１がＯＮされていない場合（ステップＳ２０５；Ｎｏ）は、ステップＳ２０３へ戻る。即ち、スイッチＳ１がＯＮされるまで、プレビュー表示をおこないつつ、メインスイッチ、モードを選択するメインダイヤル、スイッチＳ１の操作がなされるのを待機する。
【００５２】
スイッチＳ１がＯＮされる（ステップＳ２０５；Ｙｅｓ）と、撮影準備動作（ステップＳ２０６）を行う。
【００５３】
ステップＳ２０６の撮影準備動作に入ると、ＡＦ動作とＡＥ準備動作を行う。ＡＦ動作は、例えば、フォーカシングレンズを小刻みに移動させつつ画像を取り込み、得られた画像を評価し最もピントが合っていると評価された画像の得られた位置にフォーカシングレンズを移動し停止させるものである。
【００５４】
ＡＥ準備動作は、絞り値と撮像素子の蓄積時間との組み合わせにより得られた撮像素子のゲインから、標準的な撮像素子出力の画像が得られる絞り値とシャッタ速度及び撮像素子感度の組み合わせを、本撮影に備えて予め決めておくものである。
【００５５】
この後、スイッチＳ２がＯＮされるのを待機する（ステップＳ２０８）。スイッチＳ２がＯＮされた場合（ステップＳ２０８；Ｙｅｓ）には、上記撮影準備動作時に決定された露光条件で撮影動作が実行され（ステップＳ２１０）、メモリーカードに撮影した画像データを記録する（ステップＳ２１１）。
【００５６】
図５は、本実施の形態に係るカメラで撮影され、メモリカードに記録された１駒分の画像ファイル構成の一例を示す図である。
【００５７】
同図に示すように、１画像ファイル７０はヘッダ部７１とサムネイル画像データ部７２と本画像データ部７３で構成されている。
【００５８】
ヘッダ部７１には、ファイルネーム（例えば、Ｉｍａｇｅ．０００１等）、撮影時の絞り値、シャッタ速度、撮影時刻等のカメラ使用者が、確認可能なデータ（図示Ａで示す）と、ＥＥＰＲＯＭに書き込まれているカメラ１台毎に異なる固有のＩＤ番号（例えば、ＸＹＺ１２３４５）と、オリジナル画像データ情報とが、カメラ使用者には確認不可能なデータ（図示Ｂで示す）として記憶される。
【００５９】
オリジナル画像データ情報とは、本画像データ部７３の本画像データが撮影時以降に何らかの補正がおこなわれたか否かの判断を行うための、データであり、本例では撮影記録時に記録された本画像データ７３を構成する１か０のデジタルデータのうち１の個数の総和のデータが記録されている。このオリジナル画像データ情報の記録が、改ざん防止処理に相当する。なお、上記のＩＤ番号とオリジナル画像データ情報は本画像データ部７３に記録するようにしてもよい。
【００６０】
即ち、本実施の形態のカメラにおいては、撮影記録時に、本画像データと共に本画像データと１対１の対応関係となっているオリジナル画像データ情報を記録しておくことで、本画像データを構成する１か０のデジタルデータのうち１の個数の総和とオリジナル画像データ情報の数値を比較することで、以降に本カメラ以外の装置により本画像データに対し何らかの変更が加えられたか否かが判別できるということである。
【００６１】
この後、図４に戻り、撮影した画像を画像表示部に所定時間アフタービュー表示（ステップＳ２１２）した後、ステップＳ２０２のプレビュー表示に戻る。以上で、１駒の撮影が終了する。
【００６２】
次いで、静止画撮影モードで記録された画像を再生する、再生モードについて説明する。
【００６３】
図６は、本実施の形態に係るカメラ１００の再生モード時の動作概略の一例を示すフローチャートである。以下、同図に示すフローに従い説明する。なお、本例では、再生モード中に画像の補正が可能な補正モードを有しており、画像再生を行い、再生された画像に対し補正を行うことが可能となっているモードを補正モードと称し、画像再生のみを行うモードを通常再生モードと称して説明する。
【００６４】
再生モードに入ると、メモリーカードから最後に記録された画像を読み出し（ステップＳ３０１）、次いで、読み出した画像を画像表示装置に表示する（ステップＳ３０２）。
【００６５】
次いで、再度、再生モードであるか判断する（ステップＳ３０３）。再生モード以外のモードに切り替えられた場合（ステップＳ３０３；Ｎｏ）には、他の切り替えられたモードへ移行する（ステップＳ３３０）。
【００６６】
再生モードである場合（ステップＳ３０３；Ｙｅｓ）は、補正モードにセットされたかどうか判断する（ステップＳ３０４）。補正モードへは、操作スイッチ群の操作により入ることができるようになっている。補正モードにセットされていない場合（ステップＳ３０４；Ｎｏ）は、通常再生モードであり、次の他の画像を表示するよう操作スイッチ群が操作されるまで（ステップＳ３３１；Ｎｏ）、ステップＳ３０２〜Ｓ３０４を繰り返す。
【００６７】
補正モードにセットされた場合（ステップＳ３０４；Ｙｅｓ）は、補正モードに入り、表示している画像が、このカメラで撮影された画像かどうか識別する（ステップＳ３０５）。この識別は、ＣＰＵによって行われ、画像ファイル内のヘッダ部に記録されているカメラ固有のＩＤ番号とカメラのＥＥＰＲＯＭに保有しているＩＤ番号が一致するか否かで識別される。
【００６８】
表示している画像が、このカメラで撮影された画像でない場合（ステップＳ３０５：Ｎｏ）は、ステップＳ３０２へ戻る。即ち、このカメラで撮影された画像でない場合には、補正ができない。
【００６９】
表示している画像が、このカメラで撮影された画像の場合（ステップＳ３０５；Ｙｅｓ）は、ＣＰＵは画像の明るさと色あいのみを補正可能とする（ステップＳ３０６）。
【００７０】
次いで、画像補正が操作スイッチ群を用いて行われ（ステップＳ３０７）、補正終了か否か判断する（ステップＳ３０８）。この補正終了も操作スイッチ群の操作により行われる。補正終了の操作がされない状態（ステップＳ３０８；Ｎｏ）では、ステップＳ３０７とステップＳ３０８を繰り返す。
【００７１】
補正終了の操作がされると（ステップＳ３０８；Ｙｅｓ）、補正後の本画像データを構成する１か０のデジタルデータのうち１の個数の総和をカウントし（ステップＳ３０９）、次いで補正後の本画像データを記録するか否か確認する（ステップＳ３１０）。この補正後の本画像データを記録するか否かも、操作スイッチ群の操作により行われる。
【００７２】
操作スイッチ群により、補正後の本画像データを記録するよう操作された場合（ステップＳ３１０；Ｙｅｓ）には、ステップＳ３０９でカウントした数値をオリジナル画像データ情報とし、補正後の本画像データと共に、同ファイルネームの画像ファイルに上書きして記録する（ステップＳ３１１）。なお、上書きでなく、新たなファイルネームの画像ファイルを作成して記録し、補正前の画像ファイルを消去するようにしてもよい。
【００７３】
次いで、１枚前の画像を読み出して（ステップＳ３１２）、ステップＳ３０２へ戻る。
【００７４】
以上が、本実施の形態に係るカメラの再生モードの概略動作である。
【００７５】
以上説明したように、識別手段がカメラ固有のＩＤ番号を識別し、読み出した画像データが、同カメラで撮影記録された画像データであると識別した場合には、画像の明るさと色あいに関してのみ画像補正を許容して、画像のオリジナル性を損なわない範囲で被写体の状態をよりわかりやすく表示、印刷できるようにし、補正後の画像データに対しオリジナル画像データ情報を作成することで、補正後の画像データに新たな改ざん防止処理を施した後、画像データと共に記録媒体に記録するよう構成することで、信憑性を維持した画像のまま、簡便な修正を可能としたカメラを得ることができる。
【００７６】
図７は、本実施の形態に係るカメラ１００の再生モード時の動作概略のその他の例を示すフローチャートである。図６に示すフローでは、ステップＳ３０５において、表示している画像が、このカメラで撮影された画像でない場合は、補正ができないよう構成したものであり、本例はステップＳ３０５で表示している画像が、このカメラで撮影された画像でない場合以降が異なるものであり、この異なる部分についてのみ説明する。このため、ステップＳ３０１〜Ｓ３０４及びステップＳ３０５；Ｙｅｓ以降は図６と同様であるので省略する。
【００７７】
ステップＳ３０５において、表示している画像が、このカメラで撮影された画像でない場合（ステップＳ３０５：Ｎｏ）も、ＣＰＵが画像の明るさと色あいのみを補正可能とする（ステップＳ３４０）。
【００７８】
次いで、画像補正が操作スイッチ群を用いて行われ（ステップＳ３４１）、補正終了か否か判断する（ステップＳ３４２）。この補正終了も操作スイッチ群の操作により行われる。補正終了の操作がされない状態（ステップＳ３４２；Ｎｏ）では、ステップＳ３４１とステップＳ３４２を繰り返す。
【００７９】
補正終了の操作がされると（ステップＳ３４２；Ｙｅｓ）、補正後の画像データに改ざん防止処理を施すかどうかを使用者に確認する（ステップＳ３４３）。この確認も、画像表示装置に表示し、操作スイッチ群の操作により行われる。補正後の画像データに改ざん防止処理を施すよう操作された場合（ステップＳ３４３；Ｙｅｓ）は、補正後の本画像データを構成する１か０のデジタルデータのうち１の個数の総和をカウントし（ステップＳ３４５）、次いで補正後の本画像データを記録するか否か確認する（ステップＳ３４６）。この補正後の本画像データを記録するか否かも、操作スイッチ群の操作により行われる。また、補正後の画像データに改ざん防止処理を施さないよう操作された場合（ステップＳ３４３；Ｎｏ）は、ステップＳ３４５をジャンプしてステップＳ３４６へ移行する。
【００８０】
補正後の本画像データを記録しない場合（ステップＳ３４６；Ｎｏ）には、図６に示すステップＳ３１２へジャンプする。
【００８１】
補正後の本画像データを記録する場合（ステップＳ３４６；Ｙｅｓ）には、次いで、補正前の元の画像データを保存するか確認する（ステップＳ３４７）。補正前の元の画像データを保存する場合（ステップＳ３４７；Ｙｅｓ）には、補正後の画像データを異なるファイルネームで記録する（ステップＳ３４８）。この後、図６に示すステップＳ３１２へ移行する。この場合には、元のオリジナル画像データ情報と共に元の本画像データが記録された画像ファイルと、元のオリジナル画像データ情報と共に補正後の本画像データが記録された画像ファイルとが、共存する場合と、元のオリジナル画像データ情報と共に元の本画像データの画像ファイルと、新たに作成されたオリジナル画像データ情報と共に補正後の本画像データの画像ファイルとが、共存する場合の２種類がある。
【００８２】
補正前の元の画像データを保存しない場合（ステップＳ３４７；Ｎｏ）には、元の画像ファイルに上書きして記録するかどうか確認する（ステップＳ３４９）。元の画像ファイルに上書きして記録する場合（ステップＳ３４９；Ｙｅｓ）には、補正後の本画像データを元の画像ファイルに上書きして記録する（ステップＳ３５０）。この後、図６に示すステップＳ３１２へ移行する。このときは、元の画像のあった画像ファイルに、元のオリジナル画像データ情報と共に補正後の本画像データが記録された画像ファイルが上書きされる場合と、新たに作成されたオリジナル画像データ情報と共に補正後の本画像データが記録された画像ファイルが上書きされる場合の２種類がある。
【００８３】
元の画像ファイルに上書きして記録しない場合（ステップＳ３４９；Ｎｏ）には、元の画像データ即ち元の画像ファイルを消去し、補正後の画像データを異なるファイルネームで記録する（ステップＳ３５１）。この後、図６に示すステップＳ３１２へ移行する。このときは、異なるファイルネームの画像ファイルに、元のオリジナル画像データ情報と共に補正後の本画像データが記録される場合と、新たに作成されたオリジナル画像データ情報と共に補正後の本画像データが記録される場合の２種類がある。
【００８４】
このように、画像ファイル内のヘッダ部に記録されているカメラ固有のＩＤ番号とカメラのＥＥＰＲＯＭに保有しているＩＤ番号が一致しない場合にも、画像のオリジナル性を損なわない範囲で、簡便に画像データの修正を可能としたカメラとしてもよい。
【００８５】
なお、上記の説明では、再生モード中に補正モードを内挿した例で説明したが、図３に示した独立した各モードの１つとして補正モードを設けてもよい。
【図面の簡単な説明】
【００８６】
【図１】本実施の形態に係るカメラの外観図である。
【図２】本実施の形態に係るカメラの内部構成の一例を示す概略ブロック図である。
【図３】本実施の形態に係るカメラで使用される各モードへの移行動作を示すフローチャートである。
【図４】本実施の形態に係るカメラの静止画撮影モード時の動作概略を示すフローチャートである。
【図５】本実施の形態に係るカメラで撮影され、メモリカードに記録された１駒分の画像ファイル構成の一例を示す図である。
【図６】本実施の形態に係るカメラの再生モード時の動作概略の一例を示すフローチャートである。
【図７】本実施の形態に係るカメラの再生モード時の動作概略のその他の例を示すフローチャートである。
【符号の説明】
【００８７】
３０  操作スイッチ群
３１  ＥＥＰＲＯＭ
４０  制御部（ＣＰＵ）
５０  メモリーカード
５１  メインスイッチ釦
５２  レリーズ釦
５３  バリア部材
５４  フラッシュ発光部
５５  ズーム釦
５６  メニュー釦
５７  選択釦
５８  セット釦
５９  メインダイヤル
６０  消去釦
６１  前面カバー
６２  後面カバー
６３  センサー窓
９０  画像表示装置
１００  カメラ
【図１】
2007166495.tif 000003
【図２】
2007166495.tif 000004
【図３】
2007166495.tif 000005
【図４】
2007166495.tif 000006
【図５】
2007166495.tif 000007
【図６】
2007166495.tif 000008
【図７】
2007166495.tif 000009